(57)【特許請求の範囲】
【請求項１】
冷水または温水の少なくとも一方を含む熱媒体を用いる空気調和装置であって、
熱源機と、
前記熱媒体と空気との間の熱交換を行なう熱交換器と、
前記熱交換器に前記熱媒体を供給する流量を調整する流量調整弁と、
前記熱交換器から排出される前記熱媒体の温度を検出する温度センサと、
前記温度センサが検出した温度と、前記流量調整弁に対する指令開度とに基づいて、前記熱媒体の流通経路の異常の有無を検出する故障判定部と、
前記熱交換器に送風するファンと、
前記ファンを駆動するモータの電流を検出する電流センサとを備え、
前記故障判定部は、冷房運転時に前記温度センサが検出した温度が判定温度よりも高い場合には、前記流通経路に異常が有ると判定し、
前記故障判定部は、前記冷房運転時に前記判定温度よりも低い第２判定温度よりも前記温度センサが検出した温度が低い場合には、前記熱交換器への通風路に異常が有ると判定し、
前記故障判定部は、前記モータの電流値が電流正常判定範囲から外れており、かつ前記第２判定温度よりも前記温度センサが検出した温度が低い場合には、前記モータが故障したと判定し、
前記故障判定部は、前記モータの電流値が前記電流正常判定範囲内であり、かつ前記第２判定温度よりも前記温度センサが検出した温度が低い場合には、前記熱交換器のフィン部分の通風抵抗が増加したと判定する、空気調和装置。
【請求項２】
前記熱源機から前記熱媒体を前記熱交換器に送る第１配管と、
前記熱交換器から前記熱源機に前記熱媒体を戻す第２配管とをさらに備え、
前記故障判定部は、前記冷房運転時に前記温度センサが検出した温度が前記判定温度よりも高い場合には、前記流量調整弁が故障したか、前記第１配管または前記熱交換器から前記熱媒体が漏洩したと判定する、請求項１に記載の空気調和装置。
【請求項３】
前記熱交換器に流入する前記熱媒体の流量と前記熱交換器を通過した前記熱媒体の流量とを検出する流量センサをさらに備え、
前記故障判定部は、前記冷房運転時に前記温度が前記判定温度よりも高く、かつ前記熱交換器に流入した前記熱媒体の流量よりも前記熱交換器から流出した前記熱媒体の流量が少ない場合には、前記第１配管または前記熱交換器から前記熱媒体が漏洩したと判定する、請求項２に記載の空気調和装置。
【請求項４】
前記第１配管は、
前記熱源機から前記熱交換器および他の利用機器に送る前記熱媒体が通過する第３配管と、
前記第３配管から分岐し、前記熱交換器に送る前記熱媒体が通過する第４配管とを含み、
前記第２配管は、
前記熱交換器および前記他の利用機器から前記熱源機に戻る前記熱媒体が通過する第５配管と、
前記熱交換器から排出された前記熱媒体が通過し、前記第５配管に合流する第６配管とを含み、
前記空気調和装置は、前記第４配管に設けられ、前記熱媒体の通過および遮断を切替える遮断弁をさらに備え、
前記故障判定部は、前記第１配管または前記熱交換器から前記熱媒体が漏洩したと判定した場合には、前記遮断弁を遮断状態に設定する、請求項３に記載の空気調和装置。
【請求項５】
前記第１配管は、
前記熱源機から前記熱交換器および他の利用機器に送る前記熱媒体が通過する第３配管と、
前記第３配管から分岐し、前記熱交換器に送る前記熱媒体が通過する第４配管とを含み、
前記第２配管は、
前記熱交換器および前記他の利用機器から前記熱源機に戻る前記熱媒体が通過する第５配管と、
前記熱交換器から排出された前記熱媒体が通過し、前記第５配管に合流する第６配管とを含み、
前記空気調和装置は、
前記第３配管または前記第５配管に接続され、排出口が前記熱源機、前記熱交換器、前記第３配管、前記第５配管のいずれよりも低い位置に設けられた第７配管と、
前記第７配管に設けられ、前記熱媒体の通過および遮断を切替える排出弁をさらに備え、
前記故障判定部は、前記第１配管または前記熱交換器から前記熱媒体が漏洩したと判定した場合には、前記排出弁を通過状態に設定する、請求項３に記載の空気調和装置。
【請求項６】
前記故障判定部は、暖房運転時に前記温度センサが検出した温度が前記判定温度よりも低い第３判定温度よりも低い場合には、前記流通経路に異常が有ると判定する、請求項１〜５のいずれか１項に記載の空気調和装置。
【請求項７】
前記故障判定部は、暖房運転時に前記判定温度よりも高い第４判定温度よりも前記温度センサが検出した温度が高い場合には、前記熱交換器への通風路に異常が有ると判定する、請求項６に記載の空気調和装置。
【発明の詳細な説明】
【技術分野】
【０００１】
本発明は、空気調和装置に関し、特に、冷水または温水の少なくとも一方を含む熱媒体を用いる空気調和装置に関する。
【背景技術】
【０００２】
従来、ヒートポンプなどの熱源機により冷温水を生成し、送水ポンプおよび配管で室内機へ搬送して室内の冷暖房を行なう間接式の空気調和装置が知られている。【０００３】
このような間接式の空気調和装置は、利用側熱媒体として水またはブラインを使用するので、近年、使用冷媒量を削減するために注目されている。特開２０１５−２２４８４１号公報には、このような空気調和装置において、循環配管からの熱媒体の漏水を抑制することができる循環システムが開示されている。
【先行技術文献】
【特許文献】
【０００４】
【特許文献１】特開２０１５−２２４８４１号公報
【発明の概要】
【発明が解決しようとする課題】
【０００５】
特開２０１５−２２４８４１号公報には、漏水が発生すると、熱媒体が被覆に浸透し、電気抵抗値が低下するワイヤ状の漏水検知システムによって漏水を検知することが記載されている。このワイヤ状の漏水検知システムは、循環配管のうち漏水が生じた場合に感知しやすい箇所、例えば被空調室の床面などに敷設される。【０００６】
しかし、漏水は、さまざまな場所で生じる可能性が有り、漏水検知システムを設置していない場所に漏水が発生する場合も考えられる。【０００７】
本発明は、上記課題を解決するためになされたものであって、冷水または温水の少なくとも一方を含む熱媒体を用いる空気調和装置において、熱媒体の流通経路の異常の有無を検出することができる、空気調和装置を提供することを目的とする。
【課題を解決するための手段】
【０００８】
本開示の空気調和装置は、冷水または温水の少なくとも一方を含む熱媒体を用いる空気調和装置である。空気調和装置は、熱源機と、熱媒体と空気との間の熱交換を行なう熱交換器と、熱交換器に熱媒体を供給する流量を調整する流量調整弁と、熱交換器から排出される熱媒体の温度を検出する温度センサと、温度センサが検出した温度と、流量調整弁に対する指令開度とに基づいて、熱媒体の流通経路の異常の有無を検出する故障判定部とを備える。
【発明の効果】
【０００９】
本開示の空気調和装置によれば、熱媒体の流通経路の異常の有無を検出することができるので、空気調和装置の故障の悪化や漏水等の拡大を抑制することができる。
【図面の簡単な説明】
【００１０】
【図１】実施の形態１に係る空気調和装置の構成を示す図である。
【図２】実施の形態１において故障判定部と各種センサおよびアクチュエータの接続関係を示す図である。
【図３】熱媒体の出口温度の変化について説明するための図である。
【図４】通水路の故障時に水温と空気温度がどのように変化するかを説明するための図である。
【図５】通風路の故障時に水温と空気温度がどのように変化するかを説明するための図である。
【図６】故障の種類と出口水温、想定温度の関係を示した図である。
【図７】故障判定部が行なう判定値の学習処理を説明するためのフローチャートである。
【図８】故障判定部が行なう判定処理を説明するためのフローチャートである。
【図９】実施の形態１の変形例の空気調和装置の構成を示す図である。
【図１０】実施の形態２に係る空気調和装置の構成を示す図である。
【図１１】実施の形態２において故障判定部と各種センサおよびアクチュエータの接続関係を示す図である。
【図１２】実施の形態２において故障判定部が実行する診断処理を説明するためのフローチャートである。
【図１３】実施の形態２の変形例の空気調和装置の構成を示す図である。
【図１４】実施の形態３に係る空気調和装置の構成を示す図である。
【図１５】実施の形態３において故障判定部と各種センサおよびアクチュエータの接続関係を示す図である。
【図１６】排出弁の配置の第１例を示す図である。
【図１７】排出弁の配置の第２例を示す図である。
【図１８】実施の形態３において故障判定部が実行する診断処理を説明するためのフローチャートである。
【発明を実施するための形態】
【００１１】
以下、本発明の実施の形態について、図面を参照しながら詳細に説明する。以下では、複数の実施の形態について説明するが、各実施の形態で説明された構成を適宜組合わせることは出願当初から予定されている。なお、図中同一又は相当部分には同一符号を付してその説明は繰返さない。
【００１２】
実施の形態１．
図１は、実施の形態１に係る空気調和装置の構成を示す図である。空気調和装置１００は、冷水または温水の少なくとも一方を含む熱媒体を用いる空気調和装置である。以下の説明において、熱媒体として水またはブラインを例示することができる。
【００１３】
空気調和装置１００は、熱源機１と、室内機１１１〜１１３と、故障判定部１１０と、表示部１０１とを備える。
【００１４】
室内機１１１〜１１３の各々は、熱媒体と空気との間の熱交換を行なう熱交換器３と、熱交換器３に熱媒体を供給する流量を調整する流量調整弁４と、温度センサ７〜９と、ファンを駆動するファンモータ１０とを含む。
【００１５】
空気調和装置１００は、熱源機１から熱媒体を熱交換器３に送る第１配管（Ｐ３，Ｐ４）と、熱交換器３から熱源機１に熱媒体を戻す第２配管（Ｐ５，Ｐ６）とをさらに備える。熱源機１で冷却または加熱された熱媒体は、第１配管によって室内機１１１〜１１３に供給され、第２配管によって室内機１１１〜１１３から熱源機１に回収される。
【００１６】
第１配管（Ｐ３，Ｐ４）は、熱源機１から室内機１１１〜１１３中の熱交換器３に送る熱媒体が通過する第３配管Ｐ３と、第３配管Ｐ３から分岐し、各々の熱交換器３に送る熱媒体が通過する第４配管Ｐ４とを含む。第２配管（Ｐ５，Ｐ６）は、室内機１１１〜１１３中の熱交換器３から熱源機１に戻る熱媒体が通過する第５配管Ｐ５と、各々の熱交換器３から排出された熱媒体が通過し、第５配管Ｐ５に合流する第６配管Ｐ６とを含む。なお、室内機１１２〜１１３に代えて、または室内機１１２〜１１３に加えて、冷温水を利用する他の利用機器（ヒータや床暖房装置など）が第３配管Ｐ３および第５配管Ｐ５に接続されても良い。
【００１７】
流量調整弁４は、第４配管Ｐ４と熱交換器３との間に接続されている。流量調整弁４は、熱交換器３に熱媒体を供給する流量を調整する。なお流量調整弁４は、熱交換器３と第６配管Ｐ６との間に接続されても良い。
【００１８】
温度センサ７は、第４配管Ｐ４から熱交換器３に流入する熱媒体の温度を検出する。温度センサ８は、熱交換器３から第６配管Ｐ６に排出される熱媒体の温度を検出する。温度センサ９は、室内温度を検出する。
【００１９】
図２は、実施の形態１において故障判定部と各種センサおよびアクチュエータの接続関係を示す図である。図１、図２を参照して、故障判定部１１０は、温度センサ７から熱媒体の入口温度Ｔｉｎを受け、温度センサ８から熱媒体の出口温度Ｔｏｕｔを受け、温度センサ９から室温（吸気温度）Ｔａｉｒを受ける。
【００２０】
故障判定部１１０は、さらに、流量調整弁４に指令開度Ｄを送信し、ファンモータ１０に駆動指令を送信し、電流センサ１０２からファンモータ１０の電流値を受ける。
【００２１】
故障判定部１１０は、記憶装置１２０から判定値を読み出して、各種センサの検出値と比較し故障判定を行なう。判定値は、故障が発生していない設置直後のある期間において各種センサの検出値に基づいて決定され、記憶装置１２０に記憶される。
【００２２】
故障判定部１１０は、温度センサ８が検出した温度Ｔｏｕｔと、流量調整弁４に対する指令開度Ｄとに基づいて、熱媒体の流通経路の異常の有無を検出する。故障判定部１１０は、表示部１０１に判定結果を送信し、表示部１０１は、判定結果を表示する。故障判定部１１０が判定に用いる熱媒体の出口温度Ｔｏｕｔが、正常時にはどのように変化するかについて説明する。
【００２３】
図３は、熱媒体の出口温度の変化について説明するための図である。図３において、冷房時には、通風路の流路抵抗値が増加するほど熱媒体（冷水）の流量は少なくなる。同量の室内空気と熱交換する場合を考えると、熱媒体（冷水）の量が少ないほど、熱媒体（冷水）の温度は上昇するからである。したがって、流路抵抗値が高いほど熱媒体の出口温度は上昇し、流量調整弁の開度を絞るほど熱媒体の出口温度は上昇する。
【００２４】
また、入口温度Ｔｉｎが低いほど出口温度Ｔｏｕｔも低くなり、入口温度Ｔｉｎが高いほど出口温度Ｔｏｕｔも高くなる。
【００２５】
冷房時には、熱媒体よりも温度が高い室内空気と熱媒体とが熱交換を行なうので、ファンの風量が多いほど熱交換量も多くなり、出口温度Ｔｏｕｔが上昇する。
【００２６】
なお、図示しないが、暖房時には、入口温度Ｔｉｎが低いほど出口温度Ｔｏｕｔも低くなり、入口温度Ｔｉｎが高いほど出口温度Ｔｏｕｔも高くなる。これは、暖房時も冷房時も同じである。
【００２７】
しかし、暖房時には、流路抵抗値が高いほど熱媒体の出口温度は下降する。したがって、流量調整弁の開度を絞るほど、熱媒体の出口温度は下がる。
【００２８】
また暖房時には、熱媒体よりも温度が低い室内空気と熱媒体とが熱交換を行なうので、ファンの風量が多いほど熱交換量も多くなり、出口温度Ｔｏｕｔが低くなる。
【００２９】
通常は入口の温度センサ７の温度Ｔｉｎが一定になるように熱源機１が制御される。上記に示したように、流量調整弁の開度を絞るほど冷房時には出口水温の予想値（想定温度）Ｔｊは上昇し、暖房時には想定温度Ｔｊは下がる。このような流量調整弁４の開度と出口温度Ｔｏｕｔの関係を予め学習しておく。またファンの風量が多いほど冷房時には想定温度Ｔｊは上昇し、暖房時にはファンの風量が多いほど想定温度Ｔｊが下がる。回転数可変のファンを備える室内機の場合は、ファン回転数に対する出口温度Ｔｏｕｔの想定温度Ｔｊの傾向も学習しておく。
【００３０】
出口温度Ｔｏｕｔに着目することによって、以下に説明するように、通水路側の故障か通風路側の故障かを切り分けることができる。
【００３１】
図４は、通水路の故障時に水温と空気温度がどのように変化するかを説明するための図である。通水路の故障は、熱媒体の漏洩、または配管詰まりが考えられる。図４において横軸には、温度を測定する位置が示され、縦軸には測定位置での検出温度が示される。実線で示されるのは、正常時に予想される熱媒体（水）または空気の温度であり、破線で示されるのは通水路故障が発生した時に検出される熱媒体（水）または空気の温度である。
【００３２】
熱媒体が漏洩すると通水路に気泡が混入し、流量調整弁４での抵抗が増加するため、室内機に流れる熱媒体の流量が減少する。
【００３３】
冷房の場合には、熱媒体の流量が減少することで、温度センサ８の検出温度Ｔｏｕｔは、気泡が混入していない正常状態での出口水温の想定温度Ｔｊよりも高くなる（暖房の場合は逆）。空気と熱媒体が対向流の場合も並行流の場合も、通水路故障時の場合Ｔｏｕｔ＞Ｔｊとなる。想定温度Ｔｊにマージンを見込んだ温度を判定温度ＴｊＵ（上限値）とし、冷房運転時には、故障判定部１１０は、温度センサ８が検出した温度Ｔｏｕｔが判定温度ＴｊＵよりも高い場合には、通水路に異常が有ると判定する。
【００３４】
図５は、通風路の故障時に水温と空気温度がどのように変化するかを説明するための図である。通風路の故障は、ファン故障、熱交換器のフィン詰まり、熱交換器のフィン腐食が考えられる。
【００３５】
通風路の故障の場合には、熱交換の効率低下により、故障していない状態での出口水温の想定温度Ｔｊよりも検出温度Ｔｏｕｔは低くなる（暖房の場合は逆）。空気と熱媒体が対向流の場合も並行流の場合も、通風路故障時の場合Ｔｏｕｔ＜Ｔｊとなる。想定温度Ｔｊにマージンを見込んだ温度を判定温度ＴｊＬ（下限値）とし、冷房運転時には、故障判定部１１０は、温度センサ８が検出した温度Ｔｏｕｔが判定温度ＴｊＬよりも低い場合には、通風路に異常が有ると判定する。
【００３６】
図６は、故障の種類と出口水温Ｔｏｕｔ、想定温度Ｔｊの関係（冷房時）を示した図である。図１、図６を参照して、冷房運転時においてＴｊ＜Ｔｏｕｔとなる場合には、通水路故障有（配管からの熱媒体の漏洩または流量調整弁の故障有）と判断できる。想定温度Ｔｊにマージンを見込んだ温度を判定温度ＴｊＵ（上限値）とし、故障判定部１１０は、温度センサ８が検出した温度Ｔｏｕｔが判定温度ＴｊＵよりも高い場合には、熱媒体の流通経路に異常が有ると判定する。
【００３７】
なお、想定温度Ｔｊにマージンを見込んだ温度を判定温度ＴｊＬ（下限値）とし、暖房運転時には、故障判定部１１０は、温度センサ８が検出した温度Ｔｏｕｔが判定温度ＴｊＬよりも低い場合には、熱媒体の流通経路に異常が有ると判定する。
【００３８】
故障が検知された室内機の数が全数であり、かつ冷房運転時にＴｊ＜Ｔｏｕｔの場合には、主管（図１の配管Ｐ３、Ｐ５）からの熱媒体の漏洩（または詰まり）が故障として考えられる。
【００３９】
故障が検知された室内機の数が全数でない場合は、主管（図１の配管Ｐ３、Ｐ５）のつまりや漏れは考えられない。このときＴｊ＜Ｔｏｕｔとなる場合は、枝管（配管Ｐ４）における液媒体の漏洩、または流量調整弁４の故障である。故障判定部１１０は、温度Ｔｏｕｔが判定温度ＴｊＵよりも高い場合には、流量調整弁４が故障したか、配管Ｐ３，Ｐ４または熱交換器３から熱媒体が漏洩したと判定する。
【００４０】
一方、冷房運転時にＴｊ＞Ｔｏｕｔとなる場合には、通風路故障有（ファンの送風量低下またはフィンの埃によるつまりや腐食による熱交換率低下の故障有）と判断できる。
【００４１】
ファンのモータ故障の場合には、モータの電流でも故障の有無を検出できるので、モータの電流値による判定を組み合わせることによって、ファン故障かフィン詰まりかを切り分けることができる。故障判定部１１０は、モータの電流値が電流正常判定範囲から外れており、かつ想定温度Ｔｊにマージンを見込んだ第２判定温度ＴｊＬよりも温度センサ８が検出した温度Ｔｏｕｔが低い場合には、ファンモータ１０が故障したと判定する。故障判定部１１０は、ファンモータ１０の電流値が電流正常判定範囲内であり、かつ第２判定温度ＴｊＬよりも温度センサ８が検出した温度Ｔｏｕｔが低い場合には、熱交換器３のフィン部分の通風抵抗が増加したと判定する。
【００４２】
なお、暖房運転時には、故障判定部１１０は、モータの電流値が電流正常判定範囲から外れており、かつ想定温度Ｔｊにマージンを見込んだ判定温度ＴｊＵよりも温度センサ８が検出した温度Ｔｏｕｔが高い場合には、ファンモータ１０が故障したと判定する。また、故障判定部１１０は、ファンモータ１０の電流値が電流正常判定範囲内であり、かつ判定温度ＴｊＵよりも温度センサ８が検出した温度Ｔｏｕｔが高い場合には、熱交換器３のフィン部分の通風抵抗が増加したと判定する。
【００４３】
図７は、故障判定部が行なう判定値の学習処理を説明するためのフローチャートである。このフローチャートの処理は、故障が発生していないと想定される設置直後から一定期間において判定値を学習するために実行される。まずステップＳ１において、故障判定部１１０は、熱媒体の入口の検出温度Ｔｉｎが目標温度に到達するまで待つ。
【００４４】
検出温度Ｔｉｎが目標温度に到達したら（Ｓ１でＹＥＳ）、ステップＳ２において、故障判定部１１０は、室温Ｔａｉｒ、出口温度Ｔｏｕｔ、流量調整弁４の開度Ｄおよびファン風量Ｆを取得して記憶装置１２０に記憶させる。
【００４５】
続いて、ステップＳ３において故障判定部１１０は、学習データがそろったか否かを判断する。たとえば、室温が等しい状態で複数回のデータが取得できた場合に学習データがそろったと判断される。学習データがそろっていないと判断された場合（Ｓ３でＮＯ）、ステップＳ５において学習処理から通常の空調処理のメインルーチンに処理が移される。この場合は、次回運転時もＳ１〜Ｓ２の学習データの取得が実行される。
【００４６】
一方、学習データがそろったとき（Ｓ３でＹＥＳ）、ステップＳ４において、故障判定部１１０は、想定される温度Ｔｊに対して上下にそれぞれマージンを見込んだ判定温度ＴｊＵ（上限値）、判定温度ＴｊＬ（下限値）を算出し、記憶装置１２０に記憶させる。
【００４７】
図８は、故障判定部が行なう判定処理（冷房時）を説明するためのフローチャートである。このフローチャートの処理は、学習処理が完了した後に、空調装置の運転開始ごとまたは診断命令を受け付けた後などに空調運転のメインルーチンから呼び出されて実行される。
【００４８】
まず、ステップＳ１１において、故障判定部１１０は、入口部の検出温度Ｔｉｎが目標温度になっているか否かを判断する。検出温度Ｔｉｎが目標温度で安定していなければ、図３に示したように出口温度Ｔｏｕｔも変動するので、故障判定に適さない。したがって、故障判定部１１０は、温度Ｔｉｎが目標温度に安定するまで待つ。
【００４９】
検出温度Ｔｉｎが目標温度になっている場合（Ｓ１１でＹＥＳ）、ステップＳ１２において、故障判定部１１０は、室温Ｔａｉｒ、出口温度Ｔｏｕｔ、流量調整弁４の開度Ｄおよびファン風量Ｆを取得する。そしてステップＳ１３において、取得したデータに対応する判定温度ＴｊＵ、ＴｊＬを選択する。
【００５０】
続いて、故障判定部１１０は、ステップＳ１４において、Ｔｏｕｔ＞ＴｊＵが成立するか否かを判断する。Ｔｏｕｔ＞ＴｊＵが成立した場合（Ｓ１４でＹＥＳ）、ステップＳ１５において故障判定部１１０は、通水路故障であると判定する。
【００５１】
Ｔｏｕｔ＞ＴｊＵが成立しない場合（Ｓ１４でＮＯ）、故障判定部１１０は、ステップＳ１６において、Ｔｏｕｔ＜ＴｊＬが成立するか否かを判断する。Ｔｏｕｔ＜ＴｊＬが成立した場合（Ｓ１６でＹＥＳ）、ステップＳ１７において故障判定部１１０は、通風路故障であると判定する。
【００５２】
一方、Ｔｏｕｔ＜ＴｊＬが成立しない場合（Ｓ１６でＮＯ）、出口温度Ｔｏｕｔは上限値ＴｊＵと下限値ＴｊＬの間に収まっている。この場合、ステップＳ１７において、故障判定部１１０は室内機が正常であると判定する。
【００５３】
ステップＳ１５、Ｓ１７、Ｓ１８のいずれかの判定が行なわれた後には、ステップＳ１９において、故障判定部１１０は、表示部１０１に判定結果を表示させ、ステップＳ２０において処理をメインルーチンに戻す。
【００５４】
以上説明したように、実施の形態１の空気調和装置は、出口温度Ｔｏｕｔを観測することによって、室内機の通水路の故障の有無を判定することができる。また、室内機の通水路の故障か室内機の通風路の故障かを切り分けることができる。このようにして得た診断結果を表示部に表示することによって、故障発生時の修理に役立てることができる。
【００５５】
（変形例）
図９は、実施の形態１の変形例の空気調和装置の構成を示す図である。図９に示すように、空気調和装置１００Ａは、図１に示した空気調和装置１００の構成に加えて、室内機１１１Ａ〜１１３Ａの各々において第６配管Ｐ６に設けられ、熱媒体の通過および遮断を切替える遮断弁１１をさらに備える。故障判定部１１０は、熱交換器３から熱媒体が漏洩したと判定した場合には、故障が発生した室内機に対応する遮断弁１１および流量調整弁４を遮断状態に設定する。
【００５６】
この場合、図８のフローチャートにおいて、故障判定部１１０は、室内機ごとにＳ１１〜Ｓ１５の処理を実行し、ステップＳ１５において通水路故障と判定された場合には、続けてステップＳ１５Ａにおいて故障が発生した室内機に対応する遮断弁１１および流量調整弁４を閉じ、故障した室内機を主管（Ｐ３，Ｐ５）から分離することによって、通水を一部停止する。
【００５７】
このように遮断弁１１を設けることによって、熱媒体の漏洩時に、全室内機の運転を停止する必要がなく、故障していない室内機の運転を維持できるので、快適性が低下するのを防止できる。
【００５８】
実施の形態２．
実施の形態１では、学習処理によって判定値を決定したが、学習に適した条件がすぐに成立するとは限らず、判定値を決定するのにある程度の期間を要する場合も考えられる。また、学習前に診断モードが実行され、診断結果を表示しなければならない場合も考えられる。
【００５９】
実施の形態２では、学習なしで故障を検知する。なお、各室内機にファンを備えており、ファンが故障していない前提とする。ファンモータ故障は電流で検知できるため、診断前に、ファンモータが故障していないことを電流センサ１０２の検出値によって確認しておく。
【００６０】
図１０は、実施の形態２に係る空気調和装置の構成を示す図である。図１１は、実施の形態２において故障判定部と各種センサおよびアクチュエータの接続関係を示す図である。
【００６１】
図１０、図１１を参照して、空気調和装置２００は、図１に示した空気調和装置１００の構成において、室内機１１１〜１１３に代えて室内機２１１〜２１３を備え、故障判定部１１０に代えて故障判定部２１０を備える。
【００６２】
室内機２１１〜２１３は、図１に示した室内機１１１〜１１３の構成の各々において吹き出し空気温度Ｔａｏｕｔを検出する温度センサ１２をさらに備える。
【００６３】
故障判定部２１０は、冷房の場合は室内の空調負荷を次式（１）にて想定する。
（Ｔａｉｒ−Ｔａｏｕｔ）×ファン風量  …（１）
故障判定部２１０は、暖房の場合は室内の空調負荷を次式（２）にて想定する。
（Ｔａｏｕｔ−Ｔａｉｒ）×ファン風量  …（２）
なお、事前に回転数、ファンモータ電流値等のファンの駆動状態を示す値と風量の関係を調べておくことにより、故障判定部２１０はファンの駆動状態を示す値に対応付けてファン風量を得ることができる。
【００６４】
空調負荷と正常時の出口水温との関係は、予め記憶装置１２０に記憶されている。故障判定部２１０は、計算した室内の空調負荷に対応する正常時の出口水温に対し、温度センサ８で計測された出口水温Ｔｏｕｔが一致していなければ表示部１０１に故障を表示する。
【００６５】
図１２は、実施の形態２において故障判定部が実行する診断処理を説明するためのフローチャートである。図１２に示したフローチャートは、図８に示した実施の形態１で実行されるフローチャートの処理において、ステップＳ１２、ステップＳ１３に代えてステップＳ１１２、ステップＳ１１３が実行される。
【００６６】
ステップＳ１１２では、故障判定部２１０は、室温Ｔａｉｒ、吹き出し温度Ｔａｏｕｔ、出口温度Ｔｏｕｔ、流量調整弁４の開度Ｄおよびファン風量Ｆを取得する。そしてステップＳ１１３において、取得したデータに対応する判定温度ＴｊＵ、ＴｊＬを算出する。故障判定部２１０は、先に示した式（１）または式（２）に基づいて算出された温度Ｔｊに対して上下にそれぞれマージンを見込んだ判定温度ＴｊＵ（上限値）、判定温度ＴｊＬ（下限値）を算出する。
【００６７】
以降は、実施の形態１と同様に、算出された判定温度ＴｊＵ（上限値）、判定温度ＴｊＬ（下限値）を用いて、ステップＳ１４〜Ｓ１９の処理が実行される。
【００６８】
このように、実施の形態２では、学習処理を使用せずに故障判定を実行することができる。したがって、実施の形態２の空気調和装置は、実施の形態１の空気調和装置が奏する効果に加えて、さらに、設置後に直ちに故障診断を実行することができる。
【００６９】
（変形例）
図１３は、実施の形態２の変形例の空気調和装置の構成を示す図である。図１３に示すように、空気調和装置２００Ａは、図１０に示した空気調和装置２００の構成に加えて、室内機２１１〜２１３に代えて室内機２１１Ａ〜２１３Ａを備える。
【００７０】
室内機２１１Ａ〜２１３Ａの各々は、室内機２１１〜２１３の構成に対して、第６配管Ｐ６に設けられ、熱媒体の通過および遮断を切替える遮断弁１１をさらに備える。故障判定部２１０は、熱交換器３から熱媒体が漏洩したと判定した場合には、故障が発生した室内機に対応する遮断弁１１および流量調整弁４を遮断状態に設定する。
【００７１】
この場合、図１２のフローチャートにおいて、故障判定部２１０は、室内機ごとにＳ１１、Ｓ１１２，Ｓ１１３、Ｓ１４、Ｓ１５の処理を実行し、ステップＳ１５において通水路故障と判定された場合には、続けてステップＳ１５Ａにおいて故障が発生した室内機に対応する遮断弁１１および流量調整弁４を閉じ、通水を一部停止する。なお、熱媒体が複数の室内機、複数の枝管または主管で漏洩した際には、遮断弁１１および流量調整弁４を閉じるとともに、熱源機１とポンプ２を連動して停止させることで、熱媒体の漏洩量を抑えることができ、熱源機１の故障（冷房時：熱媒体の凍結など、暖房：送水停止による高圧上昇など）も防止できる。
【００７２】
このように遮断弁１１を設けることによって、熱媒体の漏洩時に、全室内機の運転を停止する必要がなく、故障していない室内機の運転を維持できるので、快適性が低下するのを防止できる。
【００７３】
実施の形態３．
図１４は、実施の形態３に係る空気調和装置の構成を示す図である。図１５は、実施の形態３において故障判定部と各種センサおよびアクチュエータの接続関係を示す図である。
【００７４】
図１４、図１５を参照して、空気調和装置３００は、図１に示した空気調和装置１００の構成において、室内機１１１〜１１３に代えて室内機３１１〜３１３を備え、故障判定部１１０に代えて故障判定部３１０を備え、加えて排出弁１４をさらに備える。
【００７５】
室内機３１１〜３１３の各々は、室内機１１１〜１１３の各構成に加えて、第４配管Ｐ４に設けられる流量センサ１３Ａと、第６配管Ｐ６に設けられる遮断弁１１および流量センサ１３Ｂとをさらに備える。遮断弁１１は、熱媒体の通過および遮断を切替える。流量センサ１３Ａは、第４配管Ｐ４を通過する熱媒体の流量を検出する。流量センサ１３Ｂは、第６配管Ｐ６を通過する熱媒体の流量を検出する。故障判定部３１０は、冷房時において温度Ｔｏｕｔが判定温度ＴｊＵよりも高く、流量センサ１３Ａが検出した流量よりも流量センサ１３Ｂが検出した流量が少ない場合には、配管Ｐ４または熱交換器３から熱媒体が漏洩したと判定する。
【００７６】
故障判定部３１０は、室内機３１１〜３１３のうち一部の室内機において配管Ｐ４または熱交換器３からの熱媒体の漏洩を検知したら、漏洩を検知した室内機に対応する流量調整弁４と遮断弁１１を閉にする。
【００７７】
また室内機３１１〜３１３のうち複数台の室内機で熱媒体の漏洩を検知したら、熱源機１とポンプ２の運転を停止し、排出弁１４を開にする。
【００７８】
図１６は、排出弁の配置の第１例を示す図である。図１７は、排出弁の配置の第２例を示す図である。
【００７９】
図１６に示すように、室内機３１１〜３１３が建物３５０の天井部分に設置され、熱源機１が建物３５０の屋上に配置される場合には、配管Ｐ５から分岐した配管Ｐ７の先の室内機３１１〜３１３よりも低い位置に排出弁１４が設けられている。排出弁１４から先はたとえば排水溝に熱媒体が排出されるようになっている。
【００８０】
図１７に示すように、室内機３１１〜３１３が建物３５０の天井部分に設置され、熱源機１が建物３５０の屋外の地上部分に配置される場合には、熱源機１よりも低い位置まで配管Ｐ５から分岐した配管Ｐ７の先に、排出弁１４が設けられている。なお、図１６に対して図１７の配置では、配管Ｐ７が短くて済む。
【００８１】
実施の形態３の空気調和装置３００は、配管Ｐ７と、排出弁１４とをさらに備える。配管Ｐ７は、配管Ｐ３または配管Ｐ５に接続される。排出弁１４は配管Ｐ７において、熱源機１、熱交換器３、第３配管Ｐ３、第５配管Ｐ５のいずれよりも低い位置に設けられる。排出弁１４は、配管Ｐ７中の熱媒体の通過および遮断を切替える。故障判定部３１０は、複数の室内機において、配管Ｐ４または熱交換器３から熱媒体が漏洩したと判定した場合には、排出弁１４を通過状態に設定するとともに、ポンプ２を停止する。排出弁１４を閉じているときには排出弁１４までは熱媒体が満たされている。排出弁１４を開くことによって、サイフォンの原理によって、室内機３１１〜３１３、熱源機１、および配管中の熱媒体が排出される。このような位置に排出弁１４を設けることによって、ポンプ２を停止すれば熱媒体が重力で排出される。
【００８２】
実施の形態３の空気調和装置３００は、熱交換器３に流入する熱媒体の流量を検出する流量センサ１３Ａと、流量調整弁４および熱交換器３を通過した熱媒体の流量を検出する流量センサ１３Ｂとを備える。故障判定部３１０は、温度Ｔｏｕｔが判定温度ＴｊＵよりも高く（冷房時）、熱交換器３に流入した流量よりも熱交換器３から流出した流量が少ない場合には、第４配管Ｐ４または熱交換器３から熱媒体が漏洩したと判定する。流量センサ１３Ａ，１３Ｂによって流量の減少を検出することによって、熱媒体漏洩を確実に検出できる。
【００８３】
図１８は、実施の形態３において故障判定部が実行する診断処理を説明するためのフローチャートである。図１４、図１８を参照して、実施の形態３の空気調和装置３００は、ステップＳ５１において、室内機３１１〜３１３の各々における流量センサ１３の出力と流量調整弁４の開度とを取得する。熱媒体の漏洩が無い場合の流量調整弁４の開度と流量の関係は、予め記憶装置１２０に記憶されている。
【００８４】
続いてステップＳ５２において故障判定部３１０は、流量センサ１３Ａで検出した流量と流量センサ１３Ｂで検出した流量とを比較し、熱媒体の漏洩があるか否かを判断する。流量センサ１３Ａで検出した流量よりも流量センサ１３Ｂで検出した流量が少ない場合には、熱交換器３で熱媒体の漏洩が発生していると判断できる。
【００８５】
ステップＳ５２においていずれの室内機からも熱媒体の漏洩が無い場合にはステップＳ５２からステップＳ５６に処理が進められる。
【００８６】
ステップＳ５２においていずれかの室内機から熱媒体の漏洩が有ると判断された場合（Ｓ５２でＹＥＳ）、ステップＳ５３において、漏洩が発生している室内機の台数が２台以上であるか否かが判断される。
【００８７】
ステップＳ５３において、漏洩が発生している室内機の台数が２台以上でない場合（漏洩室内機が１台であった場合）、ステップＳ５４において、漏洩室内機の流量調整弁４と遮断弁１１を閉じ、ステップＳ５５において漏洩していない室内機の運転を継続する。
【００８８】
一方、ステップＳ５３において、漏洩が発生している室内機の台数が２台以上である場合、熱媒体の室内への漏洩の拡大を防止するために、ステップＳ５７においてポンプ２を停止し、ステップＳ５８において排出弁１４を開き、循環経路の熱媒体を排出する。そして、ステップＳ５９において空気調和装置３００の運転を停止し、ステップＳ６０において処理を終了する。
【００８９】
なお、ステップＳ５３では２台以上か否かを判断したが、漏洩している室内機の台数の判定値は適宜変更しても良い。たとえば、１台でも正常稼働する室内機が有る場合は、ステップＳ５４、Ｓ５５で運転継続するようにしても良い。
【００９０】
以上のように遮断弁１１を室内機ごとに設けることによって、熱媒体の漏洩時に、全室内機の運転を停止する必要がなく、快適性が低下するのを防止できる。
【００９１】
また、熱媒体が複数の室内機や枝管、主管で漏洩した際にも、熱源機１とポンプ２を連動して停止させることで、熱媒体の漏洩量を抑えることができ、熱源機１の故障（冷房時：熱媒体の凍結など、暖房：送水停止による高圧上昇など）も防止できる。
【００９２】
さらに、排出弁１４を設けることによって、熱媒体の室内への漏洩量を抑えることができる。
【００９３】
今回開示された実施の形態は、すべての点で例示であって制限的なものではないと考えられるべきである。本発明の範囲は、上記した実施の形態の説明ではなくて請求の範囲によって示され、請求の範囲と均等の意味及び範囲内でのすべての変更が含まれることが意図される。
【符号の説明】
【００９４】
１  熱源機、２  ポンプ、３  熱交換器、４  流量調整弁、７，８，９，１２  温度センサ、１０  ファンモータ、１１  遮断弁、１３  流量センサ、１４  排出弁、１００，１００Ａ，２００，２００Ａ，３００  空気調和装置、１０１  表示部、１０２  電流センサ、１１０，２１０，３１０  故障判定部、１１１〜１１３，１１１Ａ〜１１３Ａ，２１１〜２１３，２１１Ａ〜２１３Ａ，３１１〜３１３  室内機、１２０  記憶装置、３５０  建物、Ｐ３〜Ｐ７  配管。
【図１】
0006945731.tif 000002
【図２】
0006945731.tif 000003
【図３】
0006945731.tif 000004
【図４】
0006945731.tif 000005
【図５】
0006945731.tif 000006
【図６】
0006945731.tif 000007
【図７】
0006945731.tif 000008
【図８】
0006945731.tif 000009
【図９】
0006945731.tif 000010
【図１０】
0006945731.tif 000011
【図１１】
0006945731.tif 000012
【図１２】
0006945731.tif 000013
【図１３】
0006945731.tif 000014
【図１４】
0006945731.tif 000015
【図１５】
0006945731.tif 000016
【図１６】
0006945731.tif 000017
【図１７】
0006945731.tif 000018
【図１８】
0006945731.tif 000019